(57)【要約】【課題】自主放送の番組を配信するための優れた配信システムを実現する。【解決手段】ケーブルテレビ局番組送出方法は、自主放送用のコンテンツ信号、およびＡＳＩ方式の信号であるＡＳＩ信号を筐体の外部から入力するステップと、入力した前記コンテンツ信号をエンコードしてエンコード信号を生成するステップと、前記エンコード信号に含まれるパケット識別子および前記ＡＳＩ信号に含まれるパケット識別子が重複しないように、少なくとも前記ＡＳＩ信号に含まれるパケット識別子を変更する振り直し処理を行うステップと、前記振り直し処理後の前記エンコード信号および前記ＡＳＩ信号を時間多重化するステップと、時間多重化した第１の多重化信号を前記筐体の外部へ出力するステップと、前記筐体の外部から前記第１の多重化信号と同じ形式の第２の多重化信号を入力するステップとを含む。【選択図】図４
2018113633.tif 000002
【特許請求の範囲】
【請求項１】
自主放送用のコンテンツ信号、およびＡＳＩ（Ａｓｙｎｃｈｒｏｎｏｕｓ  Ｓｅｒｉａｌ  Ｉｎｔｅｒｆａｃｅ）方式の信号であるＡＳＩ信号を筐体の外部から入力するステップと、
入力した前記コンテンツ信号をエンコードしてエンコード信号を生成するステップと、
前記エンコード信号に含まれるパケット識別子および前記ＡＳＩ信号に含まれるパケット識別子が重複しないように、少なくとも前記ＡＳＩ信号に含まれるパケット識別子を変更する振り直し処理を行うステップと、
前記振り直し処理後の前記エンコード信号および前記ＡＳＩ信号を時間多重化するステップと、
時間多重化した第１の多重化信号を前記筐体の外部へ出力するステップと、
前記筐体の外部から前記第１の多重化信号と同じ形式の第２の多重化信号を入力するステップと、
入力した前記第２の多重化信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号に変換するステップと、
変換した前記ＯＦＤＭ信号を前記筐体の外部へ出力するステップとを含む、ケーブルテレビ局番組送出方法。
【請求項２】
前記ケーブルテレビ局番組送出方法は、さらに、
前記第１の多重化信号にスクランブル処理を行って前記第２の多重化信号を生成するステップを含む、請求項１に記載のケーブルテレビ局番組送出方法。
【請求項３】
ＨＤ−ＳＤＩ（Ｈｉｇｈ  Ｄｅｆｉｎｉｔｉｏｎ  Ｓｅｒｉａｌ  Ｄｉｇｉｔａｌ  Ｉｎｔｅｒｆａｃｅ）規格またはＳＤ−ＳＤＩ（Ｓｔａｎｄａｒｄ  Ｄｅｆｉｎｉｔｉｏｎ  Ｓｅｒｉａｌ  Ｄｉｇｉｔａｌ  Ｉｎｔｅｒｆａｃｅ）規格に従う信号を筐体の外部から入力するためのＳＤＩ入力コネクタと、
前記ＳＤＩ入力コネクタを介して受けた信号をエンコードしてエンコード信号を生成するエンコード部と、
ＡＳＩ方式の信号であるＡＳＩ信号を前記筐体の外部から入力するためのＡＳＩ入力コネクタと、
前記エンコード信号に含まれるパケット識別子および前記ＡＳＩ信号に含まれるパケット識別子が重複しないように、少なくとも前記ＡＳＩ信号に含まれるパケット識別子を変更する振り直し処理を行う振り直し部と、
前記振り直し部による前記振り直し処理後の前記エンコード信号および前記ＡＳＩ信号を時間多重化する多重化部と、
前記多重化部によって時間多重化された第１の多重化信号を前記筐体の外部へ出力するためのＡＳＩ出力コネクタと、
前記筐体の外部から前記第１の多重化信号と同じ形式の第２の多重化信号を入力するためのＴＳ入力コネクタと、
前記ＴＳ入力コネクタを介して受けた前記第２の多重化信号をＯＦＤＭ信号に変換するＯＦＤＭ信号変換部と、
前記ＯＦＤＭ信号変換部によって変換された前記ＯＦＤＭ信号を前記筐体の外部へ出力するためのＲＦ出力コネクタとを備える、ケーブルテレビセンター装置。
【発明の詳細な説明】
【技術分野】
【０００１】
本発明は、ケーブルテレビ局番組送出方法およびケーブルテレビセンター装置に関する。
【背景技術】
【０００２】
近年のデジタル技術の向上に伴い、テレビ放送等にデジタル技術を応用し、より多くの番組を提供するサービスが提供されている。限られた伝送帯域を使ってより多くの番組を高画質かつ高音質で提供するために、高能率圧縮および多重化技術が用いられている。
【０００３】
このようなデジタル放送システムにおける技術の一例として、たとえば、特開２００６−２６２４８３号公報（特許文献１）には、デジタル放送におけるチャンネル切り替え時間を短縮するための技術が開示されている。すなわち、デジタルマルチメディア放送受信器における放送チャンネルの切り替えを制御する装置であって、伝送ストリームパケットを第１バッファリングした後に、上記切り替えられる放送チャンネルに関するプログラム情報を獲得するために、上記バッファリングされたデータからＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、およびイントラフレームを検索する第１の逆多重化部と、上記伝送ストリームパケットを第２バッファリングし、上記第１の逆多重化部で獲得したプログラム情報に基づいて、上記第２バッファリングした伝送ストリームパケットから該当放送チャンネルのオーディオ或いはビデオ伝送ストリームパケットを検索してオーディオ或いはビデオ逆多重化を遂行する第２の逆多重化部とを備える。
【先行技術文献】
【特許文献】
【０００４】
【特許文献１】特開２００６−２６２４８３号公報
【発明の概要】
【発明が解決しようとする課題】
【０００５】
このようなデジタル放送システムを利用して、自主放送の番組を配信するサービスが行われている。たとえば、ケーブルテレビ事業者の運営する局舎では、地上デジタル放送の放送信号とともに自主放送の放送信号を有線伝送する配信システムが構築される。このような自主放送の番組を配信するための優れた配信システムを実現可能な技術が望まれる。
【０００６】
この発明は、上述の課題を解決するためになされたもので、その目的は、自主放送の番組を配信するための優れた配信システムを実現することが可能なケーブルテレビ局番組送出方法およびケーブルテレビセンター装置を提供することである。
【課題を解決するための手段】
【０００７】
（１）上記課題を解決するために、この発明のある局面に係わるケーブルテレビ局番組送出方法は、自主放送用のコンテンツ信号、およびＡＳＩ方式の信号であるＡＳＩ信号を筐体の外部から入力するステップと、入力した前記コンテンツ信号をエンコードしてエンコード信号を生成するステップと、前記エンコード信号に含まれるパケット識別子および前記ＡＳＩ信号に含まれるパケット識別子が重複しないように、少なくとも前記ＡＳＩ信号に含まれるパケット識別子を変更する振り直し処理を行うステップと、前記振り直し処理後の前記エンコード信号および前記ＡＳＩ信号を時間多重化するステップと、時間多重化した第１の多重化信号を前記筐体の外部へ出力するステップと、前記筐体の外部から前記第１の多重化信号と同じ形式の第２の多重化信号を入力するステップと、入力した前記第２の多重化信号をＯＦＤＭ信号に変換するステップと、変換した前記ＯＦＤＭ信号を前記筐体の外部へ出力するステップとを含む。
【０００８】
（３）上記課題を解決するために、この発明のある局面に係わるケーブルテレビセンター装置は、ＨＤ−ＳＤＩ規格またはＳＤ−ＳＤＩ規格に従う信号を筐体の外部から入力するためのＳＤＩ入力コネクタと、前記ＳＤＩ入力コネクタを介して受けた信号をエンコードしてエンコード信号を生成するエンコード部と、ＡＳＩ方式の信号であるＡＳＩ信号を前記筐体の外部から入力するためのＡＳＩ入力コネクタと、前記エンコード信号に含まれるパケット識別子および前記ＡＳＩ信号に含まれるパケット識別子が重複しないように、少なくとも前記ＡＳＩ信号に含まれるパケット識別子を変更する振り直し処理を行う振り直し部と、前記振り直し部による前記振り直し処理後の前記エンコード信号および前記ＡＳＩ信号を時間多重化する多重化部と、前記多重化部によって時間多重化された第１の多重化信号を前記筐体の外部へ出力するためのＡＳＩ出力コネクタと、前記筐体の外部から前記第１の多重化信号と同じ形式の第２の多重化信号を入力するためのＴＳ入力コネクタと、前記ＴＳ入力コネクタを介して受けた前記第２の多重化信号をＯＦＤＭ信号に変換するＯＦＤＭ信号変換部と、前記ＯＦＤＭ信号変換部によって変換された前記ＯＦＤＭ信号を前記筐体の外部へ出力するためのＲＦ出力コネクタとを備える。
【０００９】
本発明は、このような特徴的な処理部を備えるケーブルテレビセンター装置として実現できるだけでなく、かかる特徴的な処理のステップをコンピュータに実行させるためのプログラムとして実現することができる。また、本発明は、このような特徴的な処理部を備えるケーブルテレビセンター装置として実現できるだけでなく、ケーブルテレビセンター装置の一部または全部を実現する半導体集積回路として実現したり、ケーブルテレビセンター装置を含むシステムとして実現したりすることができる。
【発明の効果】
【００１０】
本発明によれば、自主放送の番組を配信するための優れた配信システムを実現することができる。
【図面の簡単な説明】
【００１１】
【図１】図１は、本発明の実施の形態に係る放送システムの構成を示す図である。
【図２】図２は、本発明の実施の形態に係る放送システムにおけるケーブルテレビセンター装置の構成およびスクランブル装置を示す図である。
【図３】図３は、本発明の実施の形態に係るケーブルテレビセンター装置による振り直し処理の具体例を示す図である。
【図４】図４は、本発明の実施の形態に係る放送システムが放送信号の送信処理を行う際の動作手順の一例を定めたフローチャートである。
【発明を実施するための形態】
【００１２】
最初に、本発明の実施形態の内容を列記して説明する。
【００１３】
（１）本発明の実施の形態に係るケーブルテレビ局番組送出方法は、自主放送用のコンテンツ信号、およびＡＳＩ方式の信号であるＡＳＩ信号を筐体の外部から入力するステップと、入力した前記コンテンツ信号をエンコードしてエンコード信号を生成するステップと、前記エンコード信号に含まれるパケット識別子および前記ＡＳＩ信号に含まれるパケット識別子が重複しないように、少なくとも前記ＡＳＩ信号に含まれるパケット識別子を変更する振り直し処理を行うステップと、前記振り直し処理後の前記エンコード信号および前記ＡＳＩ信号を時間多重化するステップと、時間多重化した第１の多重化信号を前記筐体の外部へ出力するステップと、前記筐体の外部から前記第１の多重化信号と同じ形式の第２の多重化信号を入力するステップと、入力した前記第２の多重化信号をＯＦＤＭ信号に変換するステップと、変換した前記ＯＦＤＭ信号を前記筐体の外部へ出力するステップとを含む。
【００１４】
このような方法により、自主放送に関する各種情報を入力してエンコード処理および時間多重化を行う機能部とＯＦＤＭ信号への変換処理を行う機能部とを１つの筐体に収容して一体化しながら、エンコード処理後の情報の各種処理を装置外にて容易に行うことが可能となる。したがって、自主放送の番組を配信するための優れた配信システムを実現することができる。
【００１５】
（２）好ましくは、前記ケーブルテレビ局番組送出方法は、さらに、前記第１の多重化信号にスクランブル処理を行って前記第２の多重化信号を生成するステップを含む。
【００１６】
このような方法により、エンコード処理後の自主放送に関する情報のスクランブル処理を装置外にて行うことができるため、たとえば、事業者は、自主放送についてＣＡＳを構築し、自主放送の番組の有料化等を実施することができる。また、エンコード処理、時間多重化、およびＯＦＤＭ信号への変換処理を行う装置の交換および改造等を行うことなく、スクランブル処理の内容を変更することができるため、ＣＡＳの方式変更等に柔軟に対応することができる。
【００１７】
（３）本発明の実施の形態に係るケーブルテレビセンター装置は、ＨＤ−ＳＤＩ規格またはＳＤ−ＳＤＩ規格に従う信号を筐体の外部から入力するためのＳＤＩ入力コネクタと、前記ＳＤＩ入力コネクタを介して受けた信号をエンコードしてエンコード信号を生成するエンコード部と、ＡＳＩ方式の信号であるＡＳＩ信号を前記筐体の外部から入力するためのＡＳＩ入力コネクタと、前記エンコード信号に含まれるパケット識別子および前記ＡＳＩ信号に含まれるパケット識別子が重複しないように、少なくとも前記ＡＳＩ信号に含まれるパケット識別子を変更する振り直し処理を行う振り直し部と、前記振り直し部による前記振り直し処理後の前記エンコード信号および前記ＡＳＩ信号を時間多重化する多重化部と、前記多重化部によって時間多重化された第１の多重化信号を前記筐体の外部へ出力するためのＡＳＩ出力コネクタと、前記筐体の外部から前記第１の多重化信号と同じ形式の第２の多重化信号を入力するためのＴＳ入力コネクタと、前記ＴＳ入力コネクタを介して受けた前記第２の多重化信号をＯＦＤＭ信号に変換するＯＦＤＭ信号変換部と、前記ＯＦＤＭ信号変換部によって変換された前記ＯＦＤＭ信号を前記筐体の外部へ出力するためのＲＦ出力コネクタとを備える。
【００１８】
このような構成により、自主放送に関する各種情報を入力してエンコード処理および時間多重化を行う機能部とＯＦＤＭ信号への変換処理を行う機能部とを１つの筐体に収容して一体化しながら、エンコード処理後の情報の各種処理を装置外にて容易に行うことが可能となる。したがって、自主放送の番組を配信するための優れた配信システムを実現することができる。
【００１９】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２０】
［構成］
図１は、本発明の実施の形態に係る放送システムの構成を示す図である。
【００２１】
図１を参照して、放送システム２０１は、たとえばＭＰＥＧ２−ＴＳ（Ｍｏｖｉｎｇ  Ｐｉｃｔｕｒｅ  Ｅｘｐｅｒｔｓ  Ｇｒｏｕｐ  ２  Ｔｒａｎｓｐｏｒｔ  Ｓｔｒｅａｍ）規格に従う放送システムであり、ケーブルテレビ局側において、ケーブルテレビセンター装置１０１と、放送信号再送信装置１２１と、カプラ９１とを備える。なお、放送システム２０１は、他の方式に従う放送システムであってもよい。
【００２２】
放送システム２０１は、たとえば地上デジタル放送の放送信号とともに自主放送の放送信号を家庭側へ有線伝送する。
【００２３】
放送システム２０１において、ケーブルテレビセンター装置１０１は、自主放送用の放送信号をカプラ９１へ出力する。
【００２４】
放送信号再送信装置１２１は、たとえば地上デジタル放送の放送信号をアンテナ経由で受信し、受信した放送信号をカプラ９１へ出力する。
【００２５】
より詳細には、ケーブルテレビセンター装置１０１は、データソース１５１から自主放送用の番組を構成するコンテンツ信号たとえば映像信号および音声信号を受信し、受信した各信号の映像情報および音声情報を含むパケットをそれぞれ作成する。これらのパケットは、たとえばＭＰＥＧ２−ＴＳ方式に従うＴＳパケットであり、ヘッダ部およびペイロードにより構成される。ヘッダ部には識別子であるＰＩＤ（Ｐａｃｋｅｔ  Ｉｄｅｎｔｉｆｉｃａｔｉｏｎ）等が格納され、ペイロードには番組等に関する各種情報が格納される。
【００２６】
また、たとえば、ケーブルテレビセンター装置１０１は、通信販売の番組情報を含むＴＳパケットを通信網１５０から受信し、また、ＰＣ（Ｐｅｒｓｏｎａｌ  Ｃｏｍｐｕｔｅｒ）等の端末装置１５３からＭＰＥＧ２−ＴＳ規格に従うＰＡＴ（Ｐｒｏｇｒａｍ  Ａｓｓｏｃｉａｔｉｏｎ  Ｔａｂｌｅ）およびＰＭＴ（Ｐｒｏｇｒａｍ  Ｍａｐ  Ｔａｂｌｅ）等の制御情報を含むＴＳパケットを受信する。また、ケーブルテレビセンター装置１０１は、データソース１５２からＥＰＧ（Ｅｌｅｃｔｒｏｎｉｃ  Ｐｒｏｇｒａｍ  Ｇｕｉｄｅ）情報を含むＴＳパケットを受信する。
【００２７】
ケーブルテレビセンター装置１０１は、受信または作成した各パケットを多重化し、多重化後の各パケットを含む放送信号を出力する。
【００２８】
ケーブルテレビセンター装置１０１から出力された放送信号および放送信号再送信装置１２１から出力された放送信号は、カプラ９１において合波されて各家庭のケーブルテレビ受信装置１６１へ送信される。
【００２９】
図２は、本発明の実施の形態に係る放送システムにおけるケーブルテレビセンター装置の構成およびスクランブル装置を示す図である。
【００３０】
図２を参照して、放送システム２０１は、さらに、スクランブル装置１１１を備える。ケーブルテレビセンター装置１０１は、筐体Ｋと、エンコード部１１Ａ，１１Ｂと、振り直し部１２と、多重化部１３と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号変換部１４と、ＳＤＩ入力コネクタ１Ａ，１Ｂと、ＡＳＩ入力コネクタ２Ａ，２Ｂ，２Ｃ，２Ｄと、ＡＳＩ出力コネクタ３と、ＴＳ入力コネクタ４と、ＲＦ出力コネクタ５とを備える。
【００３１】
以下、ＳＤＩ入力コネクタ１Ａ，１Ｂの各々をＳＤＩ入力コネクタ１とも称する。ＡＳＩ入力コネクタ２Ａ，２Ｂ，２Ｃ，２Ｄの各々をＡＳＩ入力コネクタ２とも称する。エンコード部１１Ａ，１１Ｂの各々をエンコード部１１とも称する。
【００３２】
図２では、ケーブルテレビセンター装置１０１が、２つのＳＤＩ入力コネクタ１、４つのＡＳＩ入力コネクタ２および２つのエンコード部１１を備える例を示しているが、ケーブルテレビセンター装置１０１は、さらに少数または多数のＳＤＩ入力コネクタ１、ＡＳＩ入力コネクタ２およびエンコード部１１を備える構成であってもよい。
【００３３】
ＳＤＩ入力コネクタ１は、ＨＤ−ＳＤＩ（Ｈｉｇｈ  Ｄｅｆｉｎｉｔｉｏｎ  Ｓｅｒｉａｌ  Ｄｉｇｉｔａｌ  Ｉｎｔｅｒｆａｃｅ）規格またはＳＤ−ＳＤＩ（Ｓｔａｎｄａｒｄ  Ｄｅｆｉｎｉｔｉｏｎ  Ｓｅｒｉａｌ  Ｄｉｇｉｔａｌ  Ｉｎｔｅｒｆａｃｅ）規格に従う信号を筐体Ｋの外部から入力するためのコネクタである。
【００３４】
具体的には、ケーブルテレビセンター装置１０１は、たとえば、上述の映像信号および音声信号をＳＤＩ入力コネクタ１において受信する。
【００３５】
ＡＳＩ入力コネクタ２は、ＡＳＩ（Ａｓｙｎｃｈｒｏｎｏｕｓ  Ｓｅｒｉａｌ  Ｉｎｔｅｒｆａｃｅ）方式の信号であるＡＳＩ信号を筐体Ｋの外部から入力するためのコネクタである。
【００３６】
具体的には、ケーブルテレビセンター装置１０１は、上述の制御情報を含むパケットおよびＥＰＧ情報を含むパケット、ならびに通信網１５０からの番組情報を含むパケットをＡＳＩ入力コネクタ２において受信する。なお、ＡＳＩ入力コネクタ２において入力される情報は、自主放送用として定義されるものでなくてもよい。
【００３７】
エンコード部１１は、ＳＤＩ入力コネクタ１を介して受けた信号をエンコードしてエンコード信号を生成する。具体的には、エンコード部１１は、ＳＤＩ入力コネクタ１を介して受けた映像信号および音声信号の情報を符号化してＴＳパケットを作成し、振り直し部１２へ出力する。
【００３８】
振り直し部１２は、エンコード部１１から受けたエンコード信号に含まれるパケット識別子およびＡＳＩ入力コネクタ２から受けたＡＳＩ信号に含まれるパケット識別子が重複しないように、少なくともＡＳＩ信号に含まれるパケット識別子を変更する振り直し処理を行う。具体的には、振り直し部１２は、エンコード部１１Ａ，１１Ｂから受けた各ＴＳパケットのＰＩＤおよびＡＳＩ入力コネクタ２Ａ，２Ｂ，２Ｃ，２Ｄから受けた各ＴＳパケットのＰＩＤがユニークな値となるように各ＴＳパケットのＰＩＤを振り直す。
【００３９】
図３は、本発明の実施の形態に係るケーブルテレビセンター装置による振り直し処理の具体例を示す図である。
【００４０】
ケーブルテレビセンター装置１０１において処理される各ＴＳパケットは、異なる装置または異なるエンコード部１１において作成されることから、ＰＩＤが重複する場合がある。たとえば、ケーブルテレビセンター装置１０１の外部において作成されたＴＳパケットのＰＩＤは、エンコード部１１において作成されたＴＳパケットのＰＩＤと重複する場合が多い。
【００４１】
図３を参照して、振り直し部１２がたとえば一定期間において受けた複数のＴＳパケットが、ＰＩＤ＝１０１の映像１のパケット、ＰＩＤ＝１０２の音声１のパケット、ＰＩＤ＝１０３のデータ１のパケット、ＰＩＤ＝２０１の映像２のパケット、ＰＩＤ＝２０２の音声２のパケット、ＰＩＤ＝１０３のデータ２のパケットである場合、振り直し部１２は、データ２のパケットのＰＩＤを１０３から２０３に振り直す。これにより、各ＴＳパケットのＰＩＤがユニークな値となる。
【００４２】
再び図２を参照して、多重化部１３は、振り直し部１２による振り直し処理後のエンコード信号およびＡＳＩ信号を時間多重化する。具体的には、多重化部１３は、振り直し部１２から受けた各ＴＳパケットを時間軸方向に多重化して出力する。
【００４３】
ＡＳＩ出力コネクタ３は、多重化部１３によって時間多重化された多重化信号１を筐体Ｋの外部へ出力するためのコネクタである。
【００４４】
ＴＳ入力コネクタ４は、筐体Ｋの外部から多重化信号１と同じ形式の多重化信号２を入力するためのコネクタである。
【００４５】
より詳細には、スクランブル装置１１１は、ＡＳＩ出力コネクタ３を介して多重化部１３から受けた多重化信号１にスクランブル処理を行い、スクランブル処理後の多重化信号２をＴＳ入力コネクタ４へ出力する。具体的には、スクランブル装置１１１は、多重化部１３から受けたＴＳパケットに含まれる各種情報にスクランブル処理を行い、スクランブル処理後のＴＳパケットをＴＳ入力コネクタ４へ出力する。スクランブル装置１１１は、たとえば、指定されたＰＩＤのＴＳパケットに含まれる情報に選択的にスクランブル処理を行うことができる。
【００４６】
事業者は、ケーブルテレビセンター装置１０１およびスクランブル装置１１１に対してＰＩＤを指定することにより、自主放送についてＣＡＳ（Ｃｏｎｄｉｔｉｏｎａｌ  Ａｃｃｅｓｓ  Ｓｙｓｔｅｍ）を構築し、自主放送の番組の有料化等を実施することができる。
【００４７】
ＯＦＤＭ信号変換部１４は、ＴＳ入力コネクタ４を介して受けた多重化信号２をＯＦＤＭ信号に変換する。
【００４８】
ＲＦ出力コネクタ５は、ＯＦＤＭ信号変換部１４によって変換されたＯＦＤＭ信号を筐体Ｋの外部へ出力するためのコネクタである。
【００４９】
ＯＦＤＭ信号変換部１４は、変換したＯＦＤＭ信号を放送信号としてＲＦ出力コネクタ５経由でカプラ９１へ出力する。
【００５０】
［動作の流れ］
次に、本発明の実施の形態に係る放送システムにおける番組送出処理の動作の流れについて説明する。
【００５１】
放送システム２０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００５２】
図４は、本発明の実施の形態に係る放送システムが放送信号の送信処理を行う際の動作手順の一例を定めたフローチャートである。
【００５３】
図４を参照して、まず、ケーブルテレビセンター装置１０１は、自主放送用のコンテンツ信号およびＡＳＩ方式の信号であるＡＳＩ信号を、それぞれＳＤＩ入力コネクタ１およびＡＳＩ入力コネクタ２経由で筐体Ｋの外部から入力する（ステップＳ１）。
【００５４】
次に、ケーブルテレビセンター装置１０１は、入力したコンテンツ信号をエンコードしてエンコード信号を生成する（ステップＳ２）。
【００５５】
次に、ケーブルテレビセンター装置１０１は、生成したエンコード信号に含まれるＰＩＤおよび入力したＡＳＩ信号に含まれるＰＩＤが重複しないように、少なくともＡＳＩ信号に含まれるＰＩＤを変更する振り直し処理を行う（ステップＳ３）。
【００５６】
次に、ケーブルテレビセンター装置１０１は、振り直し処理後のエンコード信号およびＡＳＩ信号を時間多重化する（ステップＳ４）。
【００５７】
次に、ケーブルテレビセンター装置１０１は、時間多重化した多重化信号１をＡＳＩ出力コネクタ３経由で筐体Ｋの外部へ出力する（ステップＳ５）。
【００５８】
次に、ケーブルテレビセンター装置１０１は、筐体Ｋの外部から多重化信号１と同じ形式の多重化信号２を入力する。
【００５９】
より詳細には、スクランブル装置１１１は、ケーブルテレビセンター装置１０１から受信した多重化信号１にスクランブル処理を行って多重化信号２を生成し、ＴＳ入力コネクタ４へ出力する（ステップＳ６）。
【００６０】
そして、ケーブルテレビセンター装置１０１は、スクランブル装置１１１によって生成された多重化信号２をＴＳ入力コネクタ４経由で入力する（ステップＳ７）。
【００６１】
次に、ケーブルテレビセンター装置１０１は、入力した多重化信号２をＯＦＤＭ信号に変換する（ステップＳ８）。
【００６２】
次に、ケーブルテレビセンター装置１０１は、変換したＯＦＤＭ信号を筐体Ｋの外部へＲＦ出力コネクタ５経由で出力する（ステップＳ９）。
【００６３】
なお、本発明の実施の形態に係る放送システムでは、スクランブル処理を行うスクランブル装置１１１が設けられる構成であるとしたが、これに限定するものではない。放送システム２０１において、スクランブル装置１１１の代わりに、ケーブルテレビセンター装置１０１から出力される多重化信号に対してスクランブル処理以外の演算処理を行ってケーブルテレビセンター装置１０１へ送信する装置が設けられる構成であってもよい。
【００６４】
ところで、デジタル放送システムを利用して、自主放送の番組を配信するサービスが行われている。たとえば、ケーブルテレビ事業者の運営する局舎では、地上デジタル放送の放送信号とともに自主放送の放送信号を有線伝送する配信システムが構築される。このような自主放送の番組を配信するための優れた配信システムを実現可能な技術が望まれる。
【００６５】
そこで、本発明の実施の形態に係るケーブルテレビ局番組送出方法では、まず、自主放送用のコンテンツ信号、およびＡＳＩ方式の信号であるＡＳＩ信号を筐体Ｋの外部から入力する。次に、入力したコンテンツ信号をエンコードしてエンコード信号を生成する。次に、エンコード信号に含まれるパケット識別子すなわちＰＩＤおよびＡＳＩ信号に含まれるパケット識別子すなわちＰＩＤが重複しないように、少なくともＡＳＩ信号に含まれるパケット識別子を変更する振り直し処理を行う。次に、振り直し処理後のエンコード信号およびＡＳＩ信号を時間多重化する。次に、時間多重化した多重化信号１を筐体Ｋの外部へ出力する。次に、筐体Ｋの外部から多重化信号１と同じ形式の多重化信号２を入力する。次に、入力した多重化信号２をＯＦＤＭ信号に変換する。次に、変換したＯＦＤＭ信号を筐体Ｋの外部へ出力する。
【００６６】
このような方法により、自主放送に関する各種情報を入力してエンコード処理および時間多重化を行う機能部とＯＦＤＭ信号への変換処理を行う機能部とを１つの筐体に収容して一体化しながら、エンコード処理後の情報の各種処理を装置外にて容易に行うことが可能となる。
【００６７】
したがって、本発明の実施の形態に係るケーブルテレビ局番組送出方法では、自主放送の番組を配信するための優れた配信システムを実現することができる。
【００６８】
また、本発明の実施の形態に係るケーブルテレビ局番組送出方法では、多重化信号１にスクランブル処理を行って多重化信号２を生成する。
【００６９】
このような方法により、エンコード処理後の自主放送に関する情報のスクランブル処理を装置外にて行うことができるため、たとえば、事業者は、自主放送についてＣＡＳを構築し、自主放送の番組の有料化等を実施することができる。また、エンコード処理、時間多重化、およびＯＦＤＭ信号への変換処理を行う装置の交換および改造等を行うことなく、スクランブル処理の内容を変更することができるため、ＣＡＳの方式変更等に柔軟に対応することができる。
【００７０】
また、本発明の実施の形態に係るケーブルテレビセンター装置では、ＳＤＩ入力コネクタ１は、ＨＤ−ＳＤＩ規格またはＳＤ−ＳＤＩ規格に従う信号を筐体Ｋの外部から入力するためのコネクタである。エンコード部１１は、ＳＤＩ入力コネクタ１を介して受けた信号をエンコードしてエンコード信号を生成する。ＡＳＩ入力コネクタ２は、ＡＳＩ方式の信号であるＡＳＩ信号を筐体Ｋの外部から入力するためのコネクタである。振り直し部１２は、エンコード信号に含まれるパケット識別子およびＡＳＩ信号に含まれるパケット識別子が重複しないように、少なくともＡＳＩ信号に含まれるパケット識別子を変更する振り直し処理を行う。多重化部１３は、振り直し部１２による振り直し処理後のエンコード信号およびＡＳＩ信号を時間多重化する。ＡＳＩ出力コネクタ３は、多重化部１３によって時間多重化された多重化信号１を筐体Ｋの外部へ出力するためのコネクタである。ＴＳ入力コネクタ４は、筐体Ｋの外部から多重化信号１と同じ形式の多重化信号２を入力するためのコネクタである。ＯＦＤＭ信号変換部１４は、ＴＳ入力コネクタ４を介して受けた多重化信号２をＯＦＤＭ信号に変換する。ＲＦ出力コネクタ５は、ＯＦＤＭ信号変換部１４によって変換されたＯＦＤＭ信号を筐体Ｋの外部へ出力するためのコネクタである。
【００７１】
このような構成により、自主放送に関する各種情報を入力してエンコード処理および時間多重化を行う機能部とＯＦＤＭ信号への変換処理を行う機能部とを１つの筐体に収容して一体化しながら、エンコード処理後の情報の各種処理を装置外にて容易に行うことが可能となる。
【００７２】
したがって、本発明の実施の形態に係るケーブルテレビセンター装置では、自主放送の番組を配信するための優れた配信システムを実現することができる。
【００７３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【００７４】
以上の説明は、以下に付記する特徴を含む。
【００７５】
［付記１］
ＨＤ−ＳＤＩ規格またはＳＤ−ＳＤＩ規格に従う信号を筐体の外部から入力するためのＳＤＩ入力コネクタと、
前記ＳＤＩ入力コネクタを介して受けた信号をエンコードしてエンコード信号を生成するエンコード部と、
ＡＳＩ方式の信号であるＡＳＩ信号を前記筐体の外部から入力するためのＡＳＩ入力コネクタと、
前記エンコード信号に含まれるパケット識別子および前記ＡＳＩ信号に含まれるパケット識別子が重複しないように、少なくとも前記ＡＳＩ信号に含まれるパケット識別子を変更する振り直し処理を行う振り直し部と、
前記振り直し部による前記振り直し処理後の前記エンコード信号および前記ＡＳＩ信号を時間多重化する多重化部と、
前記多重化部によって時間多重化された第１の多重化信号を前記筐体の外部へ出力するためのＡＳＩ出力コネクタと、
前記筐体の外部から前記第１の多重化信号と同じ形式の第２の多重化信号を入力するためのＴＳ入力コネクタと、
前記ＴＳ入力コネクタを介して受けた前記第２の多重化信号をＯＦＤＭ信号に変換するＯＦＤＭ信号変換部と、
前記ＯＦＤＭ信号変換部によって変換された前記ＯＦＤＭ信号を前記筐体の外部へ出力するためのＲＦ出力コネクタとを備え、
前記ＡＳＩ出力コネクタおよび前記ＴＳ入力コネクタは、スクランブル装置に接続され、
前記スクランブル装置は、前記ＡＳＩ出力コネクタを介して前記多重化部から受けた前記第１の多重化信号にスクランブル処理を行い、スクランブル処理後の前記第２の多重化信号をＴＳ入力コネクタへ出力し、
前記スクランブル装置は、指定された前記パケット識別子のパケットに含まれる情報に選択的にスクランブル処理を行う、ケーブルテレビセンター装置。
【符号の説明】
【００７６】
１，１Ａ，１Ｂ  ＳＤＩ入力コネクタ
２，２Ａ，２Ｂ，２Ｃ，２Ｄ  ＡＳＩ入力コネクタ
３  ＡＳＩ出力コネクタ
４  ＴＳ入力コネクタ
５  ＲＦ出力コネクタ
１１，１１Ａ，１１Ｂ  エンコード部
１２  振り直し部
１３  多重化部
１４  ＯＦＤＭ信号変換部
９１  カプラ
１０１  ケーブルテレビセンター装置
１１１  スクランブル装置
１２１  放送信号再送信装置
２０１  放送システム
Ｋ  筐体
【図１】
2018113633.tif 000003
【図２】
2018113633.tif 000004
【図３】
2018113633.tif 000005
【図４】
2018113633.tif 000006